Podtech/llm-jp-corpus-v4-ja_patent huggingface dataset:
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
眼内に埋め込まれる緑内障ドレナージデバイスであって、
遠位端及び近位端を有するチューブであって、前記チューブの遠位端と近位端との間に延在する内部管腔を画定するチューブと、
前記チューブから半径方向外側に延在し且つ前記チューブの遠位端と近位端との間に配置された固定手段であって、テーパ部及び肩部を含む固定手段と、を備え、
前記テーパ部は、テーパ近位端からテーパ遠位端まで前記チューブの長さの一部に沿って延在し、前記テーパ部は、前記テーパ近位端において、前記テーパ遠位端の直径よりも大きい直径を有し、前記肩部は、前記テーパ近位端から延在する支持面を有する、緑内障ドレナージデバイス。
【請求項２】
前記テーパ部は、前記チューブの遠位端が挿入される組織内通路の眼組織と係合して眼組織をシールするように前記眼内に位置決め可能であり、且つ／又は、
前記肩部の前記支持面は、前記組織内通路の近位端において前記眼組織に当接して、当該デバイスが前記組織内通路の内部に更に移動するのを防止するように前記眼内に位置決め可能である、請求項１に記載の緑内障ドレナージデバイス。
【請求項３】
前記テーパ部は、円錐、凸、及び凹の少なくとも１つである表面によって画定され、且つ／又は、
前記支持面は、円環、円錐、凸、及び凹の少なくとも１つである、請求項１に記載の緑内障ドレナージデバイス。
【請求項４】
前記チューブは圧縮可能材料により形成され、前記テーパ部は、眼組織内に形成されたニードル管路の内部に引き込まれるように構成され、且つ／又は、
当該デバイスは、外径を有するニードルで組織内に形成されたニードル管路内に位置決め可能であり、前記肩部は、前記ニードルの外径の少なくとも２倍の最大寸法を有し、且つ／又は、
前記テーパ遠位端は、前記チューブの外側表面の直径と略同じサイズにされ且つ前記ニードルの外径よりも短い直径を有し、前記テーパ近位端は、前記ニードルの外径よりも大きい直径を有する、請求項１に記載の緑内障ドレナージデバイス。
【請求項５】
更に、
前記チューブの遠位端から突出するフックであって、前記チューブの管腔内で前記チューブの遠位端に取り付けられた一方の端部を有するフックを備える、請求項１に記載の緑内障ドレナージデバイス。
【請求項６】
更に、
前記チューブの遠位端に取り付けられた中空シリンダであって、前記中空シリンダの遠位端は、前記中空シリンダの前記眼を通した案内を容易にするように面取りされている、中空シリンダと、
前記中空シリンダの遠位端に取り付けられたフックと、を備える、請求項１に記載の緑内障ドレナージデバイス。
【請求項７】
更に、
前記遠位端と前記テーパ部との間に配置され且つ前記チューブの折り曲げ位置を横切って延在する補強用ワイヤであって、前記チューブがスネアのループによって捕捉されて前記スネアの内部に引き込まれるときに前記チューブが前記折り曲げ位置において折り曲がることを可能とするように構成された補強用ワイヤを備える、請求項１に記載の緑内障ドレナージデバイス。
【請求項８】
眼内に埋め込まれ且つチューブ及びフックを備える緑内障ドレナージデバイスであって、前記チューブは、前記チューブから半径方向外側に延在する外部固定手段と共に細長の内部管腔を画定し且つ遠位端から近位端に延在し、前記外部固定手段は、前記遠位端と前記近位端との間に位置し、肩部と、前記チューブの長さの一部に沿って延在するテーパ部と、を含み、前記テーパ部は、前記遠位端に向かって小さくなる直径を有し、前記フックは前記チューブの遠位端から突出する、緑内障ドレナージデバイスと、
前記フックに連結されたガイドワイヤであって、近位端から遠位端まで延在し、前記近位端は、前記フックに接続されるループとして形成される、ガイドワイヤと
を備える、緑内障治療システム。
【請求項９】
細長の緑内障ドレナージデバイスを送達する装置であって
ガイドワイヤと、
前記ガイドワイヤに固定された中空キャップと、
前記ガイドワイヤに固定された保持部材と、を備え、
前記中空キャップ及び保持部材は、前記ガイドワイヤの長さに沿って長手方向に互いから離間された固定位置において前記ガイドワイヤに固定され、
前記ガイドワイヤ、キャップ、及び保持部材は、前記緑内障ドレナージデバイスを捕捉して搬送するように構成される、装置。
【請求項１０】
前記キャップは、前記緑内障ドレナージデバイスに取り付けられることなく前記緑内障ドレナージデバイスの一方の端部を受け入れるように構成され、且つ／又は、
前記キャップは中空であり、前記緑内障ドレナージデバイスの一方の端部は前記中空キャップの内部空間内に配置され、且つ／又は、
前記キャップは、テーパされた輪郭形状を有する、請求項９に記載の装置。
【請求項１１】
前記保持部材は、前記緑内障ドレナージデバイスの長さ部分を収容するように前記キャップから長手方向に離間され、且つ／又は
前記ガイドワイヤ、キャップ、及び保持部材は、眼組織を通した留置の間に前記緑内障ドレナージデバイスを捕捉して搬送するように構成される、請求項９に記載の装置。
【請求項１２】
前記ガイドワイヤは、アタッチメント部材で形成された遠位端を有し、且つ／又は
前記キャップと前記保持部材との間の前記ガイドワイヤは、前記緑内障ドレナージデバイスの管腔を通って延在して、前記キャップと前記保持部材との間に眼内インプラントを保持するように構成される、請求項９に記載の装置。
【請求項１３】
眼内インプラント送達アセンブリであって、
チューブ内を長手方向に延在する管腔を画定するチューブを含む緑内障ドレナージデバイスと、
前記管腔を通って長手方向に延在するガイドワイヤと、
前記ガイドワイヤの長さに沿って長手方向に互いに離間された固定位置において前記ガイドワイヤに固定されたキャップ及び保持部材と、
を備え、
前記ガイドワイヤ、キャップ、及び保持部材は、前記緑内障ドレナージデバイスを捕捉して搬送するように構成される、眼内インプラント送達アセンブリ。
【請求項１４】
前記ガイドワイヤはアタッチメント部材を有する、請求項１３に記載のアセンブリ。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
脳組織分類のためのシステムであって、当該システムは、
患者の脳の画像にアクセスするための画像データインターフェースと、
事前確率マップに基づいて前記画像へ自動組織分類法を適用するように構成されるプロセッサであって、前記事前確率マップは前記画像にレジストレーションされ、脳における特定位置が特定の脳組織クラスに属する確率を示し、前記自動組織分類法は前記患者の脳の組織分類マップを出力として提供する、プロセッサと、
ユーザが誤分類の領域における点を示すことを可能にするように構成され、それによりユーザ指示点を取得する、ユーザインタラクションサブシステムと
を有し、
前記ユーザインタラクションサブシステムは、
ｉ）ディスプレイ上に前記組織分類マップを表示するためのディスプレイ出力と、
ｉｉ）前記ユーザにより操作可能なユーザデバイスから入力コマンドを受信するためのユーザデバイス入力であって、前記入力コマンドはａ）前記組織分類マップにおける前記誤分類の領域、及びｂ）前記誤分類の補正を示すユーザフィードバックをあらわす、ユーザデバイス入力と
を有し、
前記プロセッサが、
前記ユーザ指示点に基づいて前記誤分類の領域の境界を決定する、
前記ユーザフィードバックに基づいて前記事前確率マップを調整し、それにより調整された事前確率マップを取得する、及び、
前記調整された事前確率マップに基づいて前記画像へ前記自動組織分類法を再適用する
ように構成される、
システム。
【請求項２】
前記ユーザインタラクションサブシステムは、前記ユーザが脳組織クラスを手動で指定することにより前記誤分類の補正を示すことを可能にするように構成され、それによりユーザ指定脳組織クラスを取得する、請求項１に記載のシステム。
【請求項３】
前記プロセッサが、前記事前確率マップにおいて、前記誤分類の領域における前記ユーザ指定脳組織クラスの確率を増加することにより、前記事前確率マップを調整するように構成される、請求項２に記載のシステム。
【請求項４】
前記プロセッサが、前記事前確率マップにおいて、前記誤分類の領域における前記ユーザ指定脳組織クラスの確率を実質的に１００％へ増加するように構成される、請求項３に記載のシステム。
【請求項５】
前記ユーザインターフェースサブシステムは、前記ユーザが灰白質組織と白質組織との間の確率比を変更することにより前記誤分類の補正を示すことを可能にするように構成される、請求項１に記載のシステム。
【請求項６】
前記ユーザインターフェースサブシステムは、前記ユーザが前記確率比を段階的に変更することを可能にするように構成される、請求項５に記載のシステム。
【請求項７】
前記ユーザインタラクションサブシステムは、前記ユーザが前記ディスプレイ上に表示される前記組織分類マップにおいて前記誤分類の領域を示すことを可能にするように構成される、請求項１に記載のシステム。
【請求項８】
前記ユーザインターフェースサブシステムは、
前記ディスプレイ上に前記画像を表示する、及び、
前記ユーザが前記画像中の関心領域を示すことにより前記組織分類マップにおける前記誤分類の領域を示すことを可能にする
ように構成される、請求項１に記載のシステム。
【請求項９】
前記自動組織分類法が期待値最大化に基づく、請求項１に記載のシステム。
【請求項１０】
請求項１に記載のシステムを有するワークステーション。
【請求項１１】
請求項１に記載のシステムを有するイメージング装置。
【請求項１２】
脳組織分類のための方法であって、
患者の脳の画像にアクセスするステップと、
事前確率マップに基づいて前記画像へ自動組織分類法を適用するステップであって、前記事前確率マップは前記画像にレジストレーションされ、脳における特定位置が特定の脳組織クラスに属する確率を示し、前記自動組織分類法は前記患者の脳の組織分類マップを出力として提供する、ステップと、
ユーザが誤分類の領域における点を示すことを可能にし、それによりユーザ指示点を取得するステップと、
ディスプレイ上に前記組織分類マップを表示するステップと、
前記ユーザにより操作可能なユーザデバイスから入力コマンドを受信するステップであって、前記入力コマンドは、ｉ）前記組織分類マップにおける前記誤分類の領域と、ｉｉ）前記誤分類の補正とを示すユーザフィードバックをあらわす、ステップと、
前記ユーザ指示点に基づいて前記誤分類の領域の境界を決定するステップと、
前記ユーザフィードバックに基づいて前記事前確率マップを調整し、それにより調整された事前確率マップを取得するステップと、
前記調整された事前確率マップに基づいて前記画像へ前記自動組織分類法を再適用するステップと
を有する、方法。
【請求項１３】
プロセッサシステムに請求項１２に記載の方法を実行させるための命令を有するコンピュータプログラム。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
生物学的試料を受容するための試料区画と、
前記試料区画中に受容された生物学的試料から核酸を遊離又は精製するための手段であって、前記試料区画と流体連通させることが可能な手段と、
前記試料区画及び前記核酸を遊離又は精製するための手段の下流に位置する、核酸ライブラリを調製するためのライブラリ区画であって、遊離又は精製された核酸の少なくとも一部を受容するように構成されており、かつ核酸ライブラリを調製するための試薬を含むライブラリ区画と、
を含む、生物学的試料の自動化された処理のためのカートリッジ。
【請求項２】
前記試料区画及び前記核酸を遊離又は精製するための手段の下流に位置し、かつ遊離若しくは精製された核酸の少なくとも一部又は前記ライブラリ区画中で調製された核酸ライブラリの少なくとも一部を受容するように構成された少なくとも1つの熱サイクル用qPCR区画を更に含み、前記熱サイクル用qPCR区画は、核酸を増幅し、そのような増幅の間に生成されるシグナルを検出可能にするために適しており、かつqPCRを実施するための試薬を含む、請求項1に記載のカートリッジ。
【請求項３】
前記qPCRを実施するための試薬が、少なくとも1つのプライマー組又は少なくとも1つの疾患関連のターゲット核酸配列を増幅するための複数のプライマー組を含む、請求項2に記載のカートリッジ。
【請求項４】
前記試料区画及び前記核酸を遊離又は精製するための手段の下流に位置する少なくとも1つの第二の熱サイクル用qPCR区画を更に含み、該少なくとも1つの第二の熱サイクル用qPCR区画は、遊離若しくは精製された核酸の少なくとも一部又は前記ライブラリ区画において調製された核酸ライブラリの一部を受容するように構成され、かつ核酸のクオリティーコントロール（QC）qPCRを実施するための少なくとも1つのプライマー組を含む、請求項1〜3のいずれか一項に記載のカートリッジ。
【請求項５】
種々のサイズのアンプリコンを生成するための複数のプライマー組を含む、請求項4に記載のカートリッジ。
【請求項６】
前記核酸ライブラリを調製するための試薬が、
前記ライブラリ区画中に受容された遊離又は精製された核酸の部分から核酸断片を生成することを可能にし、かつ、
前記生成された核酸断片の少なくとも一方の端部若しくは両方の端部にオリゴヌクレオチドアダプターを結合させることを可能にする、請求項1〜5のいずれか一項に記載のカートリッジ。
【請求項７】
核酸断片の生成が、更に「ライブラリPCR」と呼ばれるPCRによって実施され、かつオリゴヌクレオチドアダプターの、ライブラリPCRで生成された核酸断片への結合が、該ライブラリPCR中に使用される少なくとも1つのプライマーの配列中にアダプター配列を含めることによって実施される、請求項6に記載のカートリッジ。
【請求項８】
カートリッジに特有の情報を記憶するためのカートリッジに特有の識別子を更に含む、請求項1〜7のいずれか一項に記載のカートリッジ。
【請求項９】
以下：
前記試料区画中に受容された生物学的試料の一部、
前記試料区画中に受容された生物学的試料から遊離又は精製された核酸の一部、
前記ライブラリ区画中で調製された核酸ライブラリの少なくとも一部、
のいずれかの回収を可能にする、前記試料区画の下流に位置する回収区画を更に含む、請求項1〜8のいずれか一項に記載のカートリッジ。
【請求項１０】
次世代シーケンシング（NGS）核酸ライブラリを生物学的試料から調製するための自動化された方法であって、
a）生物学的試料を受容する工程と、
b）前記受容された生物学的試料から核酸の少なくとも一部を遊離又は精製する工程と、
c）前記遊離又は精製された核酸の少なくとも一部を、NGS核酸ライブラリを調製するための、核酸ライブラリを調製するための試薬を含むライブラリ区画中に供給する工程と、
d）NGS核酸ライブラリを調製する工程と、
を含み、少なくとも工程b）〜工程d）は、自動化されたシステムにおいて実施される、方法。
【請求項１１】
qPCRを、前記自動化されたシステムにおいて、NGS核酸ライブラリを調製する工程に対して逐次又は同時のいずれかで実施する工程を更に含み、前記qPCRは、前記遊離又は精製された核酸の第二の部分に対して、核酸を増幅し、かつそのような増幅の間に生成されるシグナルの検出を可能にするために適した熱サイクル用qPCR区画において実施される、請求項10に記載の自動化された方法。
【請求項１２】
前記少なくとも1つのqPCRが、少なくとも1つの疾患関連のターゲット核酸配列を増幅するものであるか、又はクオリティーコントロール（QC）qPCRである、請求項11に記載の自動化された方法。
【請求項１３】
前記自動化されたシステムと係合可能なカートリッジにおいて実施される、請求項10〜12のいずれか一項に記載の自動化された方法。
【請求項１４】
前記カートリッジが、カートリッジに特有の情報を記憶するためのカートリッジに特有の識別子を含み、前記方法は、該カートリッジに特有の識別子に記憶された情報を前記自動化されたシステムへと取り込む工程を更に含む、請求項13に記載の自動化された方法。
【請求項１５】
請求項1〜9のいずれか一項に記載のカートリッジの、生物学的試料からの次世代シーケンシング（NGS）ライブラリの自動化された調製のための使用。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
配列番号１のアミノ酸配列またはそれと８０％以上の配列同一性を有するアミノ酸配列を含む、単離されたタラのトリプシンＺＴアイソフォーム。
【請求項２】
配列番号２のアミノ酸配列を含むタラのトリプシンＺＴ−１、配列番号３のアミノ酸配列を含むタラのトリプシンＺＴ−２、配列番号４のアミノ酸配列を含むタラのトリプシンＺＴ−３、および配列番号５のアミノ酸配列を含むタラのトリプシンＺＴ−４、またはそれらと８０％以上の配列同一性を有するアミノ酸配列から選択される、請求項１の単離されたタラのトリプシンＺＴアイソフォーム。    
【請求項３】
適切な賦形剤および担体とともに、請求項１または２の少なくとも１つのタラのトリプシンＺＴアイソフォームを含む組成物。
【請求項４】
前記タラのトリプシンＺＴアイソフォームは、他のタラのトリプシンとの混合状態で存在する、請求項３の組成物。
【請求項５】
前記タラのトリプシンＺＴアイソフォームは、前記組成物におけるタラのトリプシンの全量の少なくとも１％（ｗ／ｗ）を含む、請求項４の組成物。
【請求項６】
外用水薬、ハイドロゲル、マウススプレー、または点鼻薬として、局所的に投与され得る、請求項３から５のいずれか一つの組成物。
【請求項７】
グリセロールのような多価アルコールをさらに含む、請求項３から６のいずれかの組成物。
【請求項８】
療法に使用するための、請求項３から７のいずれか一つの組成物。
【請求項９】
（ａ）ウイルス、細菌、真菌、寄生生物および原虫からなる群から選択される病原菌により引き起こされる疾患の治療または予防において使用するための；
（ｂ）ウイルス、バクテリアおよび真菌のような病原菌により引き起こされる上気道における疾患の治療または予防において使用するための；
（ｃ）疼痛、急性炎症、慢性炎症、関節炎、炎症を起こした関節、滑液包炎、変形性関節炎、関節リウマチ、若年性関節リウマチ、化膿性関節炎、線維筋痛症、全身性エリテマトーデス、静脈炎、腱炎、発疹、乾癬、ざ瘡、湿疹、顔の脂漏湿疹、手、顔、もしくは首の湿疹、包皮感染症、水虫、フィステル感染症、感染した局所の潰瘍、新生児におけるへその感染症、しわ、瘢痕、ケロイド、おでき、いぼおよびアレルギー性かゆみ、痔核、真菌感染症、並びに自己免疫疾患を含む免疫不全症の治療または予防において使用するための；
（ｄ）創傷感染症および火傷による傷の治療において使用するための；および／または
（ｅ）健康な皮膚からの垢の除去または皮膚のピーリングにおいて使用するための、請求項３から７のいずれか一つの組成物。
【請求項１０】
化粧品に使用するための、請求項３から７のいずれか一つの組成物。
【請求項１１】
前記組成物は、さらに追加の美容上活性のある配合物を含む、化粧品に使用するための、請求項１０の組成物。
【請求項１２】
（i）タラの内蔵の水性抽出物を調製することと、
（ii）ｐ−アミノベンザミジンアフィニティーリガンドを用いるアフィニティークロマトグラフィーステップを含む、少なくとも１つのクロマトグラフィーステップに前記水性抽出物を供すること、および、
（iii）前記ｐ−アミノベンザミジンアフィニティーリガンドに結合するタラのトリプシンＺＴアイソフォームを放出および溶出することとを含む、配列番号２から配列番号５のいずれか一つのアミノ酸配列を含む、タラのトリプシンＺＴアイソフォームを調製する方法。
【請求項１３】
前記アフィニティークロマトグラフィーステップ（ii）の後に、アニオン交換樹脂を用いて少なくとも１つのステップを行うことをさらに含む、および／または
前記アフィニティークロマトグラフィーステップ（ii）の前に、カチオン交換樹脂用いて少なくとも１つのステップを行うことをさらに含む、請求項１２の方法。
【請求項１４】
前記放出および溶出されたタラのトリプシンＺＴアイソフォームは、ポアサイズが０．４５μｍ以下のフィルターを用いて無菌的にろ過される、請求項１２または１３の方法。
【請求項１５】
前記タラのトリプシンＺＴアイソフォームは、配列番号２のアミノ酸配列を含むトリプシンＺＴ−１、配列番号３のアミノ酸配列を含むトリプシンＺＴ−２、配列番号４のアミノ酸配列を含むトリプシンＺＴ−３、および配列番号５のアミノ酸配列を含むトリプシンＺＴ−４、またはこれらの混合物から選択される、請求項１２から１４のいずれか一つの方法。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
上腕骨頭用の上腕骨カットガイド部材であって、
特定患者の上腕骨頭上で唯一の位置において実質的に噛み合い組み重なるように相補的でありそのように作られる第１の患者固有の骨係合面を含む骨係合部材と、
前記特定患者の結節間溝と唯一の位置において実質的に噛み合い組み重なるようなサイズを持ちそのように作られる第２の患者固有の骨係合面を含む、前記骨係合部材に接続されたレジストレーション部材と、
カットガイドプレートであって、前記骨係合部材が前記特定患者の上腕骨頭と噛み合い組み重なったときに、当該カットガイドプレートが前記上腕骨頭から離間するように、前記骨係合部材に接続されかつ前記骨係合部材から離れて延びる、カットガイドプレートと、
を備え、
前記カットガイドプレートが細長いスロットを画定する、
上腕骨カットガイド部材。
【請求項２】
前記骨係合部材が、その外面から延びる突出部を含み、前記突出部が、前記上腕骨頭に対して前記上腕骨カットガイド部材を操作するための接触面を画定する、請求項１に記載の上腕骨カットガイド部材。
【請求項３】
更に、前記骨係合部材に接続され前記骨係合部材から離れて延びかつ患者固有のピンガイド開口体を画定する接続部材を備える、請求項１又は２に記載の上腕骨カットガイド部材。
【請求項４】
前記カットガイドプレートが、少なくとも部分的に前記細長いスロットを画定する棚を含む、請求項１〜３のいずれか１項に記載の上腕骨カットガイド部材。
【請求項５】
前記カットガイドプレートが少なくとも１つの管状開口体を含む、請求項１〜４のいずれか１項に記載の上腕骨カットガイド部材。
【請求項６】
前記骨係合部材が、前記特定患者の上腕骨頭越しに第１方向へ延びる細長い一次部材を含み、前記骨係合部材が、前記細長い一次部材とは異なる第２方向へ延びる１対の二次部材を含む、請求項１〜５のいずれか１項に記載の上腕骨カットガイド部材。
【請求項７】
前記特定患者の上腕骨頭に対する前記カットガイドプレートの位置が選択的に調節可能である、請求項１〜６のいずれか１項に記載の上腕骨カットガイド部材。
【請求項８】
前記カットガイドプレートが、前記骨係合部材から外向きに延びる管状部材によって前記骨係合部材に接続され、前記カットガイドプレートが前記管状部材を受け入れるための接続部分を含む、請求項７に記載の上腕骨カットガイド部材。
【請求項９】
前記管状部材が複数の突出部を含み、前記接続部分が前記複数の突出部の１つと噛み合うように構成された開口を含み、前記カットガイドプレートが、前記複数の突出部の選択された１つと前記開口を噛み合わせることによって選択的に調節可能である、請求項８に記載の上腕骨カットガイド部材。
【請求項１０】
前記カットガイドプレートが、下側部材から離間する上側部材を含み、それらの間に細長いスロットを持ち、前記上側部材と前記下側部材との間に適切な距離を維持する取外し可能な支持バーが、前記接続部分と反対の前記カットガイドプレートの端部に配置される、請求項８又は９に記載の上腕骨カットガイド部材。
【請求項１１】
前記管状部材が複数の突出部を含み、前記接続部分が、前記複数の突出部の１つと噛み合うように構成された開口を含み、前記カットガイドプレートの位置が、前記複数の突出部の選択された１つと前記開口を噛み合わせることによって、前記特定患者の上腕骨頭に対して選択的に調節される、請求項８〜１０のいずれか１項に記載の上腕骨カットガイド部材。
【請求項１２】
前記骨係合部材が、小結節に対して近位の面と噛み合うように構成される、請求項１〜１１のいずれか１項に記載の上腕骨カットガイド部材。
【請求項１３】
前記骨係合部材が、小結節に対して遠位の面と噛み合うように構成される、請求項１〜１２のいずれか１項に記載の上腕骨カットガイド部材。
【請求項１４】
前記骨係合部材が、小結節に対して遠位の前記面において前記特定患者の上腕骨頭の一部分の周りを取り囲む、請求項１３に記載の上腕骨カットガイド部材。
【請求項１５】
上腕骨頭用の上腕骨カットガイド部材であって、
特定患者の上腕骨頭上で唯一の位置において実質的に噛み合い組み重なるように相補的でありそのように作られる第１の患者固有の骨係合面を含む骨係合部材と、
前記特定患者の結節間溝と唯一の位置において実質的に噛み合い組み重なるようなサイズを持ちそのように作られる第２の患者固有の骨係合面を含む、前記骨係合部材に接続されたレジストレーション部材と、
前記骨係合部材に接続され細長いスロットを画定するカットガイドプレートと、
を備え、
前記カットガイドプレートが、前記骨係合部材から外向きに延びる管状部材によって前記骨係合部材に接続され、前記カットガイドプレートが、前記特定患者の上腕骨頭に対する前記カットガイドプレートの位置が前記管状部材に沿って選択的に調節可能であるように、前記管状部材を受け入れるための接続部分を含む、
上腕骨カットガイド部材。
【請求項１６】
前記骨係合部材が、その外面から延びる突出部を含み、前記突出部が前記上腕骨頭に対して前記上腕骨カットガイド部材を操作するための接触面を画定する、請求項１５に記載の上腕骨カットガイド部材。
【請求項１７】
前記カットガイドプレートが、少なくとも部分的に前記細長いスロットを画定する棚を含む、請求項１５又は１６に記載の上腕骨カットガイド部材。
【請求項１８】
前記カットガイドプレートが少なくとも１つの管状開口体を含む、請求項１５〜１７のいずれか１項に記載の上腕骨カットガイド部材。
【請求項１９】
前記骨係合部材が、前記特定患者の上腕骨頭越しに第１方向へ延びる細長い一次部材を含み、前記骨係合部材が、前記細長い一次部材に対して実質的に直角に延びる１対の二次部材を含む、請求項１５〜１８のいずれか１項に記載の上腕骨カットガイド部材。
【請求項２０】
前記一次部材が患者固有のピンガイド開口体を画定する、請求項１９に記載の上腕骨カットガイド部材。
【請求項２１】
前記管状部材が複数の突出部を含み、前記接続部分が、前記複数の突出部の１つと噛み合うように構成された開口を含み、前記カットガイドプレートが、前記複数の突出部の選択された１つと前記開口を噛み合わせることによって選択的に調節可能である、請求項１５〜２０のいずれか１項に記載の上腕骨カットガイド部材。
【請求項２２】
前記カットガイドプレートが、下側部材から離間した上側部材を含み、それらの間に前記細長いスロットを持ち、前記上側部材と前記下側部材との間に適切な距離を維持する取外し可能な支持バーが、前記接続部分とは反対の前記カットガイドプレートの端部に配置される、請求項１５〜２１のいずれか１項に記載の上腕骨カットガイド部材。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
（ａ）第１のポリマー材料を含む、複数の編み上げポリマーストランドを含む足場と、
（ｂ）架橋型エラストマーを含む、前記足場上のコーティングと、
（ｃ）フロ酸モメタゾン、および前記第１のポリマー材料と同一である又は前記第１のポリマー材料と異なる第２の生分解性ポリマー材料、を含む層と、
を含む、中鼻道に送達するよう適合された足場。
【請求項２】
前記第１のポリマー材料が、ポリ（ラクチド−ｃｏ−グリコリド）を含む、請求項１に記載の足場。
【請求項３】
前記エラストマー材料が、ポリ（ラクチド−ｃｏ−カプロラクトン）を含む、請求項１または２に記載の足場。
【請求項４】
前記エラストマー材料が、３０％以上５０％以下のラクチドのモルパーセンテージと５０％以上７０％以下のカプロラクトンのモルパーセンテージとを有するポリ（ラクチド−ｃｏ−カプロラクトン）を含む、請求項３に記載の足場。
【請求項５】
前記エラストマー材料が、分枝状ポリ（ラクチド−ｃｏ−カプロラクトン）ポリオールとジイソシアネート架橋剤とを反応させることによって形成される、請求項１から４のいずれか１項に記載の足場。
【請求項６】
分枝状ポリ（ラクチド−ｃｏ−カプロラクトン）ポリオールを、１−置換Ｃ８〜Ｃ１８アルコールの存在下、ジイソシアネート架橋剤と反応させる、請求項５に記載の足場。
【請求項７】
前記足場の軸が２枚の平行な平板と平行になるように、かつ前記平行な平板の間の第１の距離を初期の非拘束状態の直径の１７％にすることによって、軸に垂直に測定され前記第１の距離に等しい第１の最小幅を前記足場が有する点まで、前記足場が前記平行な平板の間で圧縮されるように、３４℃、８０％の相対湿度環境で１０週間、前記平行な平板の間で前記足場を圧縮状態で保持した後に、および前記足場を６時間にわたる圧縮状態から解放した後に、前記足場の最小幅が、前記軸に垂直に測定され前記第１の最小幅の少なくとも２５０％である第２の最小幅まで回復する、請求項１から６のいずれか１項に記載の足場。
【請求項８】
前記管状足場の軸が２枚の平行な平板と平行になるように、かつ前記平行な平板の間の第１の距離を初期の非拘束状態の直径の８．５％にすることによって、軸に垂直に測定され前記第１の距離に等しい第１の最小幅を前記足場が有する点まで、前記足場が前記平行な平板の間で圧縮されるように、３４℃、８０％の相対湿度環境で１０週間、前記平行な平板の間で前記足場を圧縮状態で保持した後に、および前記足場を６時間にわたる圧縮状態から解放した後に、前記足場の最小幅が、前記軸に垂直に測定され前記第１の最小幅の少なくとも４５０％である第２の最小幅まで回復する、請求項１から６のいずれか１項に記載の足場。
【請求項９】
送達カテーテル内に載置される、請求項１から８のいずれか１項に記載の足場。
【請求項１０】
（ａ）第１の生分解性ポリマー材料を含む管状足場と、
（ｂ）架橋型エラストマーを含む、前記管状足場上のコーティングと、
（ｃ）フロ酸モメタゾン、および前記第１の生分解性ポリマー材料と同一である又は前記第１の生分解性ポリマー材料と異なる第２の生分解性ポリマー材料、を含む層と、
を含む、中鼻道に送達するよう適合された足場。
【請求項１１】
前記第１の生分解性ポリマー材料が、ポリ（ラクチド−ｃｏ−グリコリド）を含む、請求項１０に記載の足場。
【請求項１２】
前記足場が、複数の編み上げポリマーストランドを含む、請求項１０または１１に記載の足場。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
内視鏡用継手であって、前記継手は、長手軸を画定する細長い本体を備え、前記本体は、前記長手軸に沿って内視鏡を受領するための開口を有する内部を有し、前記内部は、前記内部内で長手方向に延在する複数のリブを有し、前記本体は、互いから離間されかつ互いに対して円周に配列された細長い可撓性の突起を備える円筒部を有し、前記細長い可撓性の突起は前記円筒部から延在し、各細長い可撓性の突起は組織を係合するための底面を有する、内視鏡用継手。
【請求項２】
各細長い可撓性の突起は内端部および外縁部を有し、各細長い可撓性の突起は、前記内端部から前記外縁部まで程度が変化する可撓性を有する、請求項１に記載の内視鏡用継手。
【請求項３】
前記底面は滑面である、請求項１に記載の内視鏡用継手。
【請求項４】
前記継手は、７０デュロメータの硬度を備える材料を備える、請求項１に記載の内視鏡用継手。
【請求項５】
前記継手は、前記継手の近位端から延在するタブを備え、前記タブは、前記内視鏡から前記継手を除去するように構成される、請求項１に記載の内視鏡用継手。
【請求項６】
前記継手または前記タブは、前記細長い本体上に配置され、かつ前記長手軸に沿って位置合わせされたミシン線を備え、前記ミシン線は、前記内視鏡からの前記継手の引裂きおよび除去を促すように構成される、請求項５に記載の内視鏡用継手。
【請求項７】
前記継手は、前記細長い本体および前記長手軸に沿って配置された第１の壁および第２の壁を備えるタブを備え、前記第１の壁および前記第２の壁は、前記本体の厚さより小さい厚さを有し、前記タブは、前記継手の近位端から外方に延在する突出部を有し、前記タブは、前記内視鏡からの前記継手の除去を促すために前記本体から剥離される、請求項１に記載の内視鏡用継手。
【請求項８】
前記継手は、前記細長い本体および前記長手軸に沿って配置された壁を備え、前記壁は、前記内視鏡からの前記継手の除去を促すために前記本体の厚さより小さい厚さを有する、請求項１に記載の内視鏡用継手。
【請求項９】
前記第１の壁および前記第２の壁は、前記細長い本体の外面から画定された空洞の対向する側面上に配置される、請求項７に記載の内視鏡用継手。
【請求項１０】
前記タブは、前記継手の単一使用を促す、請求項７に記載の内視鏡用継手。
【請求項１１】
前記継手は、第１のタブおよび第２のタブを備え、前記第２のタブは、前記第１のタブの反対側に配置される、請求項７に記載の内視鏡用継手。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
以下のアミノ酸配列を有するＡＡＶキャプシドタンパク質：
（ｉ） アミノ酸配列が、配列番号３の配列を有する、又は、
（ｉｉ） アミノ酸配列が、配列番号３の配列に対して少なくとも９９％の同一性を有し、且つ、ＡＡＶ３Ｂ及びＡＡＶ８キャプシドの領域を含むハイブリッドキャプシドである。
【請求項２】
前記アミノ酸配列が、配列番号３の配列に対して少なくとも９９．５％の同一性を有する、請求項１記載のＡＡＶキャプシドタンパク質。
【請求項３】
前記アミノ酸配列が、配列番号３の配列を有する、請求項１又は２記載のＡＡＶキャプシドタンパク質。
【請求項４】
請求項１〜３のいずれか１項記載のキャプシドタンパク質を含む、ＡＡＶキャプシド。
【請求項５】
請求項１〜３のいずれか１項記載のキャプシドタンパク質を含む、ウイルス粒子。
【請求項６】
請求項１〜３のいずれか１項記載のキャプシドタンパク質をコードするヌクレオチド配列。
【請求項７】
請求項１〜３のいずれか１項記載のキャプシドタンパク質、又は請求項６記載のヌクレオチド配列を含む、宿主細胞。
【請求項８】
請求項１〜３のいずれか１項記載のキャプシドタンパク質、又は請求項６記載のヌクレオチド配列を含む細胞を含む、非ヒトトランスジェニック動物。
【請求項９】
請求項１〜３のいずれか１項記載のキャプシドタンパク質、又は請求項６記載のヌクレオチド配列、及び１以上の医薬上許容される賦形剤を含む、医薬組成物。
【請求項１０】
請求項１〜３のいずれか１項記載のキャプシドタンパク質、又は請求項６記載のヌクレオチド配列を含む、医薬用剤。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
サドル支持台上にサドルが設置される自転車のサドルの傾斜角を調節するための装置であって、
自転車の走行中或いは、走行停止の状態で、前記サドルの後方部分又は前方部分を上げたり下げたりすることで、前記サドル支持台に対して前記サドルの傾斜角を調節することができる傾斜調節部を備え、
前記傾斜調節部は、前記サドル支持台とサドル結合部とを連結するラッチと、前記サドル支持台で前記ラッチの回転を停止させて固定するストッパーとを含み、
前記ラッチは、
所定の幅、長さ及び所定の厚さを有し、水平板部と前記水平板部に連結された垂直板部とを含むラッチ板と、
前記ラッチ板の前記垂直板部の自由端部に所定の間隔で形成された複数のラッチ溝とを備え、
前記ラッチ溝は、前記ストッパーの挿脱作用と挿入されたストッパーの挿入状態が安定的に維持されるように構成された、複数の溝及び歯からなり、前記ラッチ板の後方側の複数の溝及び歯は、内外側の角部を丸く形成し、前記ラッチ板の前方側の複数の溝は、溝内部の一側の角を丸く形成して他側の角は角張るように形成し、前記溝内部の丸い角の下側に連結される歯側の端部は、角張るように形成し、前記溝内部の角張る角の下側に連結される歯側の端部は丸く形成することを特徴とする自転車のサドル傾斜角調節装置。
【請求項２】
前記ラッチ板の前記水平板部は、前記サドル結合部と結合される結合棒に溶接結合され、前記ラッチ板の上部側は、ヒンジボルトを差し込むことで前記サドル支持台に固定されることを特徴とする請求項１に記載の自転車のサドル傾斜角調節装置。
【請求項３】
サドル支持台上にサドルが設置される自転車のサドルの傾斜角を調節するための装置であって、
自転車の走行中或いは、走行停止の状態で、前記サドルの後方部分又は前方部分を上げたり下げたりすることで、前記サドル支持台に対して前記サドルの傾斜角を調節することができる傾斜調節部を備え、
前記傾斜調節部は、前記サドル支持台とサドル結合部とを連結するラッチと、前記サドル支持台で前記ラッチの回転を停止させて固定するストッパーとを含み、
前記サドル支持台は、前記サドルの前方側方向の上端部に形成された切欠き部と、前記切欠き部の反対側に形成されたトーションばねラグ挿入部と、前記トーションばねラグ挿入部の中央から下方に所定の距離だけ離間した個所に形成され、前記ストッパーと結合するばねの一側を連結するばね線連結孔と、前記サドル支持台の上端部から所定の距離だけ離間した個所に形成されたヒンジボルト貫通穴と、前記ヒンジボルト貫通穴から垂直下方に所定の距離だけ離間した個所に貫通して形成され、前記ストッパーがスライド昇降されるスライド溝とを備えることを特徴とする自転車のサドル傾斜角調節装置。
【請求項４】
前記スライド溝は、幅が狭いガイドスロット形状のスライド溝の中間部に、上端部と下端部から所定の角度でテーパーさせて、さらに幅が狭いストッパー交差部を形成し、下端部から所定の距離だけ上側に前記ストッパー交差部の一側の傾斜角から延びたノッチを形成し、上側部には、前記ばねが連結された前記ストッパーを前記サドル支持台の内部に設置または除去するための、所定の長さの幅の広い取り付け孔を形成することを特徴とする請求項３に記載の自転車のサドル傾斜角調節装置。
【請求項５】
前記サドル支持台の前記スライド溝の下方の所定の距離だけ離間した個所に、ケーブルを挿入してストッパーと連結するためのケーブル取付け孔を所定の長さで形成し、
前記ケーブル取付け孔は、上部に幅が狭い１段目の取付け孔と、前記１段目の取付け孔の下部から延びて前記１段目の取付け孔より幅の広い２段目の取付け孔と、  前記２段目の取付け孔の下部から所定の長さで延び、前記２段目の取付け孔より幅の広い３段目の取付け孔とを備え、
前記３段目の取付け孔の下部から、上部と同様の２段目の取付け孔及び１段目の取付け孔が所定の長さだけ延びることを特徴とする請求項４に記載の自転車のサドル傾斜角調節装置。
【請求項６】
前記ストッパーは、前記サドル支持台に形成される前記スライド溝で上下に往復移動することで、ラッチ溝に挿脱され、前記サドルから作用する荷重による回転力を支持できる強度及び厚さを有する鋼板材から成り、前記ストッパーの上端部には、前記サドル支持台の前記ばね線連結孔と連結されて前記ストッパーが前記ラッチ溝の側に上昇する上昇力を発生させる前記ばねが連結され、
前記ストッパーの下端部には、前記ストッパーを下に引っ張って前記ラッチ溝から前記ストッパーを離脱させて前記ラッチが回転移動できるようにする前記ケーブルの一側を連結し、
前記ケーブルの他側は自転車のハンドルに設置され、前記ストッパーが前記ラッチ溝から離脱または固定されて、前記ラッチがヒンジボルトを基準に回動または停止できるようにする調節レバーと連結することを特徴とする請求項５に記載の自転車のサドル傾斜角調節装置。
【請求項７】
前記ヒンジボルトにはトーションばねを装着し、前記トーションばねの端部は前記サドル結合部に結合して前記サドルの傾斜角を調節するときに弾性力を与え、
前記トーションばねは、前記ストッパーの端部が前記ラッチ溝に結合された状態で、前記サドルの後方側が持ち上げられる方向に弾性力が作用するように結合し、前記ストッパーが前記ラッチ溝に弾性力結合された状態が維持されることができるようにすることを特徴とする請求項６に記載の自転車のサドル傾斜角調節装置。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
付加製造位置にインクを送達するステップと、
付加製造位置から廃インクを回収するステップと、
回収後に前記廃インクを硬化させるステップと、
を含む、付加製造中の廃インク管理の方法であって、
前記廃インクの回収ステップは、
ローラからまたは印刷ヘッドの保守作業から前記廃インクを回収するステップと、
前記廃インクを回収カートリッジ全体に均等に分配するステップと、
を含み、
前記硬化させるステップは、硬化エネルギを前記カートリッジ全体に均等に放射するステップを含み、方法は、
前記カートリッジが満杯のときにそれを検出するステップと、
前記カートリッジのドリップ管に照射して、未滴下インクを硬化させるステップと、
をさらに含む、方法。
【請求項２】
廃インクの流量を監視するステップと、
前記廃インクの流量に従って前記硬化を作動させるステップと、
を含む、請求項１に記載の方法。
【請求項３】
前記廃インクの硬化ステップは、
液状の廃インクを回収するステップと、
廃インクを硬化エネルギ源からの硬化エネルギにより硬化させるステップと、
を含む、請求項１又は２に記載の方法。
【請求項４】
前記インクを前記カートリッジ内で均等に分散させた後、前記硬化エネルギ源を作動させる、請求項３に記載の方法。
【請求項５】
前記カートリッジ内に滴下する前記廃インクの液滴が合流する時間を見越して、前記硬化エネルギ源の作動を遅延させることを含む、請求項４に記載の方法。
【請求項６】
付加製造装置から廃インクを受け取るためのカートリッジであって、カートリッジは分配ヘッドと、硬化源と、容器とを含み、分配ヘッドは入口管と、前記カートリッジ全体に分散されたドリップ点のアレイとを含み、前記ドリップ点は、前記硬化源からの直接照射から保護するため、それぞれ遮蔽物で包囲され、前記硬化源は、前記容器の周りに配設された複数の放射位置を含む、カートリッジ。
【請求項７】
前記ドリップ点は液滴形成のための鋭利な終端部を含む、請求項６に記載のカートリッジ。
【請求項８】
前記ドリップ点の各々の下であって前記遮蔽物内にドリップ案内シャベルをさらに含む、請求項６に記載のカートリッジ。
【請求項９】
前記カートリッジが満杯になったときに前記分配ヘッド内に残っているインクを硬化するための第２硬化源を前記分配ヘッド内にさらに含む、請求項６〜８のいずれかに記載のカートリッジ。
【請求項１０】
前記カートリッジの充填を検出する液位検出器をさらに含む、請求項６〜９のいずれかに記載のカートリッジ。
【請求項１１】
前記硬化源は、発光ダイオードのバンクを含む、請求項６〜８のいずれかに記載のカートリッジ。
【請求項１２】
前記第２硬化源は、発光ダイオードのバンクを含む、請求項９に記載のカートリッジ。
【請求項１３】
前記硬化源は、前記カートリッジに沿って片側に向けて長さ方向に配置される、請求項６〜８のいずれかに記載のカートリッジ。
【請求項１４】
前記ドリップ点は、廃インクが前記ドリップ点から滴下する前に硬化されるのを防止するために、前記硬化源からの硬化エネルギに対する遮蔽物を含む、請求項６〜１３のいずれかに記載のカートリッジ。
【請求項１５】
前記遮蔽物は各ドリップ点を包囲するフードを含む、請求項１４に記載のカートリッジ。
【請求項１６】
滴下を方向付ける吐出シャベルを各ドリップ点の下にさらに含む、請求項６〜１５のいずれかに記載のカートリッジ。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
上面および側面を備えたネック部分を有する密封ガスシリンダ（１００）内に含まれた加圧ガスを分配するためのガス分配装置（１）であって、前記上面は穿刺可能なガス出口（１０２）を有し、前記ガスシリンダは前記上面の反対側の端部に底部をさらに有し、前記装置は、
ガス分配出口（３７）を有する本体（３）と、
前記本体に取り付けられた受容部分（３４）であって、前記ガスシリンダのネック部分と密封係合し、加圧ガスを前記ガス出口から受け取って前記ガスを前記本体の前記ガス分配出口に提供するように構成され、前記ガスシリンダの前記ネック部分が前記受容部分と係合されるとき、前記ガス出口を穿刺してガスを前記ガスシリンダから放出するように構成された穿刺要素（３５）を含む受容部分と、
前記ガスシリンダを受け入れるように構成されたホルダ（７１）であって、受け入れたガスシリンダの前記ネック部分を前記受容部分と係合させるように前記本体と係合するべく構成されたホルダと、
前記ホルダと受け入れたガスシリンダとの間に位置付けられ、前記ホルダが前記受け入れたガスシリンダの前記ネック部分を前記受容部分と係合させるように前記本体と係合されるとき、前記ホルダからの力を前記ガスシリンダへ伝達するように構成された要素（５）であって、前記穿刺要素に前記ガス出口を穿刺させるための前記ガスシリンダへ伝達される力によって弾性的および可塑的の両方により変形するように構成された要素と
を含むガス分配装置。
【請求項２】
前記要素と前記シリンダとの間の剛性の力伝達装置（５１）であって、前記力伝達装置と前記要素との間に接触領域を提供する剛性の力伝達装置をさらに含む、請求項１に記載の装置。
【請求項３】
前記ホルダが、前記本体のねじ付き部分と係合するように構成されたねじ付き部分（７２）を含み、前記ホルダの前記ねじ付き部分は前記ホルダの頂部の近くに配置され、前記要素は前記ホルダの底部の近くに配置される、請求項２に記載の装置。
【請求項４】
前記ホルダが、前記ホルダの前記頂部の開口と内部空間とを有するカップの形状を有し、前記要素が、前記ホルダの前記底部の近くで前記内部空間に配置され、前記ガスシリンダの前記底部と接触するように構成される、請求項３に記載の装置。
【請求項５】
前記ホルダがストッパまで前記本体に対して回転できるように前記本体とねじ係合され、前記ストッパにより前記ホルダの前記本体に対するさらなる回転が防止される、請求項１に記載の装置。
【請求項６】
前記ガスシリンダをさらに含み、前記要素が前記ガスシリンダの前記底部に取り付けられる、請求項１に記載の装置。
【請求項７】
前記本体が、前記ガス分配出口に送達されるガスの圧力を調節する調節器（６００）と、前記調節器から前記ガス分配出口までのガスの流れを制御するバルブ（３００）とを含む、請求項１に記載の装置。
【請求項８】
前記本体に取り付けられ、前記ガス分配出口と流体連通する針（２００）をさらに含み、前記針はルーメンを有し、また前記ガス分配出口から前記ボトル内部へ加圧ガスを送達するようにワインボトルのコルクに挿入されるべく構成されている、請求項７に記載の装置。
【請求項９】
前記針が、ワインの流れを、前記針を介して前記本体のワイン出口まで導くように構成され、前記本体は、前記針から前記ワイン出口までのワインの流れを制御するように構成されたバルブを含む、請求項７に記載の装置。
【請求項１０】
上面および側面を備えたネック部分を有する密封ガスシリンダ（１００）内に含まれた加圧ガスを分配するためのガス分配装置（１）であって、前記上面は穿刺可能なガス出口（１０２）を有し、前記ガスシリンダは前記上面の反対側の端部に底部をさらに有し、前記装置は、
前記ガスシリンダのネック部分と密封係合し、加圧ガスを前記ガス出口から受け取って前記ガスをガス分配出口に提供するように構成された受容部分（３４）と、
前記ガスシリンダの前記ネック部分が前記受容部分と係合されるとき、前記ガス出口を穿刺してガスを前記ガスシリンダから放出するように構成された穿刺要素（３５）と、
前記ガスシリンダの前記ネック部分を前記受容部分と係合させるように前記ガスシリンダおよび前記受容部分を互いに近づけるように構成されたシリンダ駆動装置（７）と、
前記シリンダ駆動装置の力を前記ガスシリンダに伝達し、前記受け入れたガスシリンダの前記ネック部分を前記受容部分と係合させるように構成された要素（５）であって、前記穿刺要素に前記ガス出口を穿刺させるための前記ガスシリンダへ伝達される力によって弾性的および可塑的の両方により変形するように構成された要素と
を含むガス分配装置。
【請求項１１】
前記受容部分が、ねじ部分を有する本体（３）に取り付けられ、前記シリンダ駆動装置が、前記要素および前記ガスシリンダを前記受容部分の方へ移動させるために前記本体の前記ねじ部分と係合するように構成されたねじ部分を含む、請求項１０に記載の装置。
【請求項１２】
前記ガスシリンダをさらに含み、前記要素が前記ガスシリンダの前記底部に取り付けられる、請求項１０に記載の装置。
【請求項１３】
前記シリンダ駆動装置がストッパを含み、前記ストッパによって前記シリンダ駆動装置の前記受容部に対する停止点を越える移動が防止される、請求項１０に記載の装置。
【請求項１４】
前記要素と前記シリンダとの間の剛性の力伝達装置であって、前記力伝達装置と前記要素との間に接触領域を提供する剛性の力伝達装置をさらに含む、請求項１０に記載の装置。
【請求項１５】
上面および側面を備えたネック部分を有する密封ガスシリンダ内に含まれた加圧ガスを分配する方法であって、前記上面は穿刺可能なガス出口を有し、前記ガスシリンダは前記上面と反対側の端部に底部を有し、前記方法は、
要素を前記ガスシリンダの底部に向けて移動させ、それにより前記要素を弾性的および可塑的の両方により変形させ、前記ガスシリンダの前記ガス出口を穿刺要素と係合させるように移動させ、前記ガス出口を穿刺すること、
前記ガスシリンダの前記ネック部分を、前記穿刺されたガス出口から加圧ガスを受け取る受容部分と密封係合すること、および
前記加圧ガスをガス分配装置のガス分配出口で前記シリンダから分配すること
を含む方法。
【請求項１６】
前記移動させること、および前記密封係合することが、前記ガスシリンダと前記要素とを保持するホルダを、前記受容部分が取り付けられている本体にねじ留めすることを含む、請求項１５に記載の方法。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
液体不透過性の可撓性材料から形成されたカップ本体を含む再使用可能なカップであって、上部部分と、中間部分と、基部部分とを有し、かつ前記中間部分と前記上部部分との間に介在する第１の周方向位置の周りの少なくとも第１の折り畳みヒンジと、前記基部部分と前記中間部分との間に介在する、前記第１の周方向位置とは別の第２の周方向位置の周りの第２の折り畳みヒンジとを画定するように配設された折り畳み可能なプリフォームを有し、外周縁帯が、中央帯を提供するために前記カップの前記中間部分の周りに形成され、前記カップ本体が、入れ子の同心状形状をとるように前記周方向位置においてそれ自体内に折り畳み可能である、再使用可能なカップ。
【請求項２】
前記中央帯が、断熱性を提供するために前記中央帯に形成された突条、窪み、凹凸または刻み目を有する、請求項１に記載の再使用可能なカップ。
【請求項３】
前記カップの前記基部部分が前記カップの前記中央部分内に上方に折り畳まれ、かつ前記カップの最上部部分が前記カップの前記中央部分の外側に折り重ねられる、請求項１または２に記載の再使用可能なカップ。
【請求項４】
前記最上部部分と前記中間部分との間および前記中間部分と前記基部部分との間に円錐台部を有する、請求項１〜３のいずれか一項に記載の再使用可能なカップ。
【請求項５】
前記中央帯の前記内面が、断熱性を向上させるために前記内面に生成された浮き彫りにされた形状またはパターンを有する、請求項１〜４のいずれか一項に記載の再使用可能なカップ。
【請求項６】
下部外周縁帯が前記カップの前記基部部分の周りに形成される、請求項１〜５のいずれか一項に記載の再使用可能なカップ。
【請求項７】
前記下部帯が基部である、請求項６に記載の再使用可能なカップ。
【請求項８】
安定性のためにより広い設置面積を提供するリップが前記基部の周りに形成される、請求項７に記載の再使用可能なカップ。
【請求項９】
雄ねじ山が前記上部帯に形成される、請求項１〜８のいずれか一項に記載の再使用可能なカップ。
【請求項１０】
余剰な液体不透過性の可撓性材料が、前記上部帯と前記可撓性材料の前記本体との間の前記カップの上部周縁の周りに提供され、かつ蓋が当接して前記カップを封止し得る表面を提供する、請求項９に記載の再使用可能なカップ。
【請求項１１】
少なくとも３つの異なる形状に展開されることが可能であり、それぞれの展開された形状が異なるカップ容量を提供する、請求項１〜１０のいずれか一項に記載の再使用可能なカップ。
【請求項１２】
蓋であって、その上にねじ部分を備えた蓋を含む、請求項１〜１１のいずれか一項に記載の再使用可能なカップ。
【請求項１３】
蓋を含み、前記蓋は、前記蓋が前記カップの周りに封着されるときに係合する確実係合手段を有する、請求項１〜１２のいずれか一項に記載の再使用可能なカップ。
【請求項１４】
ＲＦＩＤチップを含む、請求項１〜１３のいずれか一項に記載の再使用可能なカップ。
【請求項１５】
可撓性ゴムをキャビティ射出成形型に導入するステップと、成形されたカップ本体であって、前記カップ本体のテーパ部分によって連結される領域において前記カップ本体に接合される３つの周縁部または周縁帯を有するカップ本体を受け取るステップとを含む、請求項１〜１４のいずれか一項に記載の再使用可能なカップを製造する方法。